(57)【要約】【課題】受像機本来の解像度に起因する検査用標識の縮小表示限界を超える水準の視力測定を可能にする受像機を提供することを目的とする。【解決手段】受像機に検査用標識を表示させ、徐々に検査用標識を縮小することにより、被験者の視力を測定する。検査用標識の縮小サイズが同受像機の表示限界に達した以降は、サイズの縮小を止める。その代わりに、検査標識と背景との色相を近づけていく。このようにすることより、検査標識を徐々に見にくくさせることができ、引き続き被験者の視力を測定することができる。【選択図】図１
2007097695.tif 000002
【特許請求の範囲】
【請求項１】
被験者の視力を検査する機能を有する受像機において、
当該受像機はＣＲＴであって、
視力を検査する機能を操作可能なリモコンと、
被験者が前記リモコンの操作により行う検査応答に基づいて、画面の一方向に向かって所定速度で移動するように表示した検査用標識に所定の変化を加えるように制御する制御手段とを有し、
前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、
検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて、都度、検査応答を繰り返すことで被験者の動体視力を測定し、
受像機での検査用標識の縮小表示限界を超える水準の視力測定を可能ならしめることを特徴とする、テレビジョン。
【請求項２】
被験者の視力を検査する機能を有する受像機において、
当該受像機は、視力を検査する機能を操作可能なリモコンを備え、
被験者が前記リモコンの操作により行う検査応答に基づいて、検査用標識のサイズを都度、小さくなるように変化させ、一定の縮小サイズに達した以降は、サイズの縮小を止めると同時に、サイズ以外の他の条件を検査用標識が見え難くなるように変更させることを特徴とする、受像機。
【請求項３】
前記受像機は、検査用標識のサイズが一定の縮小サイズに達した以降は、サイズの縮小を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させることを特徴とする、請求項２に記載の受像機。
【請求項４】
前記受像機はＣＲＴであって、
被験者が前記リモコンの操作により行う検査応答に基づいて、画面に表示した検査用標識に所定の変化を加えるように制御する制御手段を有し、
前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、
検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させて、都度、検査応答を繰り返すことで被験者の視力を測定し、
受像機での検査用標識の縮小表示限界を超える水準の視力測定を可能ならしめることを特徴とする、請求項３に記載の受像機。
【請求項５】
前記受像機は、動体視力を測る際、検査用標識のサイズが一定の縮小サイズに達した以降は、サイズの縮小を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させることを特徴とする、請求項２に記載の受像機。
【請求項６】
前記受像機はＣＲＴであって、
被験者が前記リモコンの操作により行う検査応答に基づいて、画面の一方向に向かって所定速度で移動するように表示した検査用標識に所定の変化を加えるように制御する制御手段を有し、
前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、
検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて、都度、検査応答を繰り返すことで被験者の動体視力を測定し、
受像機での検査用標識の縮小表示限界を超える水準の視力測定を可能ならしめることを特徴とする、請求項５に記載の受像機。
【発明の詳細な説明】
【技術分野】
【０００１】
本発明は、被験者の視力を検査する機能を有するテレビジョンおよび受像機に関する。
【背景技術】
【０００２】
放送された映像をディスプレイに表示させ、視聴する受像機としてのテレビジョン装置は、娯楽番組、映画、或いはニュースなどを視聴する基幹メディアとして、一般家庭に広く普及して久しい。しかしその一方で、暗い室内での視聴、近距離での視聴、長時間の視聴などの不適切な視聴条件によっては目を疲労させ、視力に影響を及ぼすことがある。こうしたことから、視力の状態を日頃から把握し、視力低下を防止するために一般家庭においても手軽に視力測定を行いたいといった要望があった。
【０００３】
一方、一般に視力測定を行う場合、最も簡易で従来より多用されている方法としては、検査用標識としての各種ランドルト環等が羅列された呈示板を掲示し、測定者が指し示す標識を、一定距離離間した位置にいる被験者が逐次回答することで測定する方法がある。
【０００４】
又、近年では、暗箱内を被検者が覗き込み、プリズム等の組合せにより暗箱内に擬似的に表示された検査用標識を、暗箱に付属した応答スイッチを操作することで測定する所謂自動視力計が、測定が簡便で測定者も不要にできることから医療機関等で普及しつつある。
【０００５】
しかしながら、前者の呈示板を用い、測定者が測定する方法では、熟練した測定者が必要なこと、及び検眼距離が確保できる広いスペースが必要であることなどから、一般家庭で手軽に視力測定を行えるとは言い難い。一方、後者の自動視力計はこうした問題は解決できるが、高額であり、やはり一般家庭に導入するのは難しい。
【０００６】
そこで従来、家庭に広く普及しているテレビジョン装置を用い、視力測定を行う方法が提案されている。例えば、実開平０３−７３０８０公報（特許文献１）では、アイトレーニング、及び視力検査用のプログラムメモリーされたＲＯＭをテレビ受像機に備え、当該テレビ受像機を用いて視力検査を行う構成が開示されている。
【０００７】
又、特開２００３−０８８５０１号公報（特許文献２）では、実用視力を正確に測定するため、実用視力検査モ−ドに切換えるモ−ド切換手段を備えた視力検査装置が開示されている。更に、当該視力検査装置では、所定時間内に被験者からの応答がない場合も誤答として処理する構成が開示されている。
【０００８】
更に、特開平０２−４３０９号公報（特許文献３）では、カラービデオディスプレイとミニコンピュータを用い、自動的に視覚検査を行う構成が開示されている。更に、ＲＧＢカラーモニターでは近距離視力検査に適した鮮明な画像を表示できないので、アイピースとディスプレイの間に縮小レンズからなるフィルタを配列する構成が開示されている。
【特許文献１】実開平０３−７３０８０公報
【特許文献２】特開２００３−０８８５０１号公報
【特許文献３】特開平０２−４３０９号公報
【発明の開示】
【発明が解決しようとする課題】
【０００９】
上記した特許文献１における、視力検査用のプログラムメモリーされたＲＯＭを備えたテレビ受像機を用いて視力検査を行う構成では、家庭に広く普及しているテレビを用いることで、確かに一般家庭でも手軽に視力測定を行える。
【００１０】
しかしながら、こうしたテレビを用いた視力検査を行う場合、テレビに表示できる検査用標識には限界がある。即ち、通常、視力検査時に表示する検査用標識は、視力のレベルに応じて徐々にサイズを縮小させていくが、テレビが本来備える画素数に起因して、一定の縮小サイズに達すると、標識の輪郭が潰れてしまい、鮮明な表示ができなくなってしまう。従って、一定レベル以上の視力が測定できないという問題があった。
【００１１】
一方、特許文献３では、アイピースとディスプレイの間に縮小レンズからなるフィルタを配列することで、こしたテレビにおける検査用標識の縮小サイズが制限されてしまうことを解決している。しかしながら、アイピースやフィルタを設ける必要があることから、一般家庭でも手軽に視力測定を行えるとは言い難い。
【００１２】
又、特許文献２では、テレビを用いた視力検査における、前述した検査用標識のサイズ縮小表示限界を超えた水準の視力測定ができないという問題を解決する構成は開示されていない。
【００１３】
本発明は、上記問題にかんがみてなされたもので、受像機本来の解像度に起因する検査用標識の縮小表示限界を超える水準の視力測定を可能にするテレビジョンおよび受像機を提供することで、一般家庭での視力測定を手軽に行うことができるようにすることを目的とする。
【課題を解決するための手段】
【００１４】
上記問題を解決する為に本発明は、被験者の視力を検査する機能を有する受像機において、当該受像機は、視力を検査する機能を操作可能なリモコンを備え、被験者が前記リモコンの操作により行う検査応答に基づいて、検査用標識のサイズを都度、小さくなるように変化させ、一定の縮小サイズに達した以降は、サイズの縮小を止めると同時に、サイズ以外の他の条件を検査用標識が見え難くなるように変更させる構成としている。
【００１５】
上記のように構成した本発明によれば、受像機は、検査標識のサイズが一定の縮小サイズに達した以降は、サイズの縮小を止めると同時に、サイズ以外の他の条件を検査用標識が見え難くなるように変更させ、視力測定を行う。
【発明の効果】
【００１６】
請求項１に記載の発明によれば、制御手段は、制御手段は、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させ、視力測定を行う。
【００１７】
よって、受像機での検査用標識の縮小表示限界を超える水準の視力を確実に測定することができ、一般家庭での視力測定を手軽に行うことができる。
【００１８】
請求項２に記載の発明によれば、制御手段は、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させ、動体視力の視力測定を行う。
【００１９】
よって、受像機での検査用標識の縮小表示限界を超える水準の動体視力を確実に測定することができ、一般家庭での視力測定を手軽に行うことができる。
【００２０】
請求項３に記載の発明によれば、受像機は、検査標識のサイズが一定の縮小サイズに達した以降は、サイズの縮小を止めると同時に、サイズ以外の他の条件を検査用標識が見え難くなるように変更させ、視力測定を行う。
【００２１】
よって、受像機での検査用標識の縮小表示限界を超える水準の視力を確実に測定することができ、一般家庭での視力測定を手軽に行うことができる。
【００２２】
請求項４に記載の発明によれば、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させて、都度、検査応答を繰り返すことで被験者の視力を測定し、受像機での検査用標識の縮小表示限界を超える水準の視力測定を行うことが可能となる。
【００２３】
請求項５に記載の発明によれば、動体視力を測る際、検査用標識のサイズが一定の縮小サイズに達した以降は、サイズの縮小を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて動体視力を測ることが可能となる。
【００２４】
請求項６に記載の発明によれば、被験者の動体視力を測定しつつ、受像機での検査用標識の縮小表示限界を超える水準の視力測定を行うことが可能となる。
【発明を実施するための最良の形態】
【００２５】
以下、本発明を具体化した実施例について説明する。
【実施例１】
【００２６】
図１には、本実施例における受像機としてのＣＲＴテレビ１１の概略構成を説明するブロック図を示す。
【００２７】
同図において、ＣＲＴテレビ１１は、通常のテレビ視聴部分を制御する視聴制御部１２と、後に詳述する、視力検査制御部１３とから成る。
【００２８】
前記視聴制御部１２は、本体の動作を制御するコントローラ１２ｂと、図示していないアンテナで受信されるテレビ放送信号から選択されているチャンネルのテレビ放送信号を抽出し、出力するチューナ１２ｄと、該チューナ１２ｄが出力したテレビ放送信号に基く映像をＣＲＴ画面１２ｅに表示する映像処理部１２ｆと、該チューナ１２ｄが出力したテレビ放送信号に基く音声をスピーカ１２ｇから出力する音声処理部１２ｈと、リモコン１２ｃから送信されてきた制御コマンドを受信するリモコン受信部１２ａとを備えている。
【００２９】
前記コントローラ１２ｂは、リモコン受信部１２ａで受信した制御コマンドに応じて、電源のオン／オフ、チャンネルの切換、音量のアップ／ダウン等を制御する。尚、ＣＲＴテレビ１１の各部には、図示していない電源回路から動作電源が供給されている。この電源回路の入力は、商用電源（例えば、ＡＣ１００Ｖ）である。
【００３０】
一方、前記視力検査制御部１３は、制御部としてのＣＰＵ１３ａと、所定の制御プログラムが記憶されたＲＯＭと、リモコン１２ｃから送信されてきた制御コマンドを受信するリモコン受信部１２ａと、検査用標識を表示するＣＲＴ画面１２ｅと、前記ＣＰＵ１３ａに制御されて検査用標識を所定の状態にＣＲＴ画面１２ｅに表示させる映像処理部１２ｆとを備えている。即ち、視力検査制御部１３は、リモコン受信部１２ａ、ＣＲＴが面１２ｅ、及び映像処理部１２ｆを前記視聴制御部１２と共有する。
【００３１】
前記リモコン１２ｃは、電源オンオフ、チャンネル切り換え、音量調整、ビデオ入力切り換え等の通常のテレビ視聴に使用される操作ボタンの他に、通常の視聴と視力検査のモード切換スイッチ、検査用標識の表示指示、当該検査用標識が見えるか否かの検査応答の視力検査に使用される操作ボタンを併せて備えている。
【００３２】
前記ＣＰＵ１３ａは、前記ＣＲＴテレビ１１、或いはリモコン１２ｃの図示しないモード切換スイッチが視力検査モードに切り換えられると、ＣＲＴテレビ１１を通常の視聴機能から視力検査機能に切り換える。この状態で前記リモコン１２ｃの視力検査用の各ボタンが操作されると、前記リモコン受信部１２ａで受信された制御コマンドがＣＰＵ１３ａに入力され、前記ＲＯＭから読み出された対応する所定の制御プログラムが実行され、視力検査が行われる。
【００３３】
即ち、被験者により前記リモコン１２ｃで、検査用標識の表示指示の操作ボタンが操作されると、検査用標識としての例えば数字が所定のサイズで画面に表示される。被験者は、この数字を所定距離だけ離間した位置から目視し、視認できる場合には見えるの回答ボタンを、視認できない場合には見えないの回答ボタンを操作する。ＣＰＵ１３ａは、見えるの検査応答があった場合には、数字の表示サイズを縮小して表示させる一方、見えないの検査応答があった場合、或いは所定の時間内に検査応答が無かった場合には、数字の表示サイズを拡大して表示させる。 
【００３４】
被験者は、サイズが変更されて再び表示された数字を目視し、視認できる場合には見えるの回答ボタンを、視認できない場合には見えないの回答ボタンを再び操作する。前回の検査応答が見えるであって、数字のサイズが縮小されている場合での検査応答が見えるの場合には、ＣＰＵ１３ａは、更に数字のサイズを縮小して表示させる一方、見えないの検査応答があった場合、或いは所定の時間内に検査応答が無かった場合には、数字の当該サイズに相応する検査結果を表示させて検査を終了する。以降、見えるの検査応答がある度に、数字のサイズを縮小していき、同様の制御を繰り返す。但し、数字のサイズが、ＣＲＴテレビ１１の画素数に起因した表示限界に達すると、数字のサイズの縮小を止め、代わりに数字と背景との色相を近づけていく変化を都度加えて、見難くなるようにしていく。
【００３５】
一方、前回の検査応答が見えない場合、或いは所定の時間内に検査応答が無かった場合であって、数字のサイズが拡大されている場合での検査応答が見えるの場合には、数字の当該サイズに相応する検査結果を表示させて検査を終了する。検査応答が見えない場合、或いは所定の時間内に検査応答が無かった場合には、更に数字のサイズを拡大して、同様の制御を繰り返す。
【００３６】
図２には、上述した制御内容を説明するフローチャートを示す。
【００３７】
同図において、まずＣＲＴテレビ１１が電源オンされて、制御が開始される。そして、ステップ１でＣＲＴテレビ１１の視力検査モードにセットされているか否かを判定する。その結果、視力検査モードにセットされている場合に、ステップ２で視力検査機能をスタートさせる。
【００３８】
前記ステップ２のスタートに伴い、ステップ３で検査用標識としての数字を受像機の画面に表示し、被験者の検査応答が一定時間内に読める回答であったか否かを判別する。前記ステップ３での判別の結果、検査応答が読めるであった場合には、ステップ４で数字のサイズが受像機の表示限界以上か否かを判別する。
【００３９】
前記ステップ４での判別の結果、数字のサイズが受像機の表示限界以上である場合には、ステップ５でサイズが小さくなるように変化させることで見難くされた数字を表示して、被験者の検査応答が一定時間内に読める回答であったか否かを判別する一方、前記ステップ４での判別の結果、数字のサイズが受像機の表示限界である場合には、ステップ６でサイズは変化させず、前記数字と背景との色相を近づけていく変化を代わりに変化させて、より見難くされた数字を受像機の画面に表示して、被験者の検査応答が一定時間内に読める回答であったか否かを判別する。
【００４０】
前記ステップ５での判別の結果、検査応答が読めるであった場合には、より見難くされた数字を表示して、被験者の検査応答が一定時間内に読める回答であったか否かを判別する前記ステップ５を繰り返す。
【００４１】
前記ステップ６での判別の結果、検査応答が読めるであった場合には、より見難くされた数字を表示して、被験者の検査応答が一定時間内に読める回答であったか否かを判別する前記ステップ６を繰り返す。
【００４２】
前記ステップ３での判別の結果、検査応答が読めないか、或いは一定時間内に回答が無かった場合には、ステップ９でサイズが大きくなるように変化させることで見易くされた数字を表示して、被験者の検査応答が一定時間内に読める回答であったか否かを判別する。
【００４３】
前記ステップ９での判別の結果、検査応答が読めないか、或いは一定時間内に回答が無かった場合には、サイズが大きくなるように変化させることで見易くされた数字を表示して、被験者の検査応答が一定時間内に読める回答であったか否かを判別する前記ステップ９を繰り返す。
【００４４】
前記ステップ５、或いは前記ステップ６での判別の結果、検査応答が読めないか、或いは一定時間内に回答が無かった場合、或いは前記ステップ９での判別の結果、検査応答が読めるであった場合には、ステップ１１で相応する検査結果を表示する。そして、当該ステップ１１の検査結果表示後にステップ１２で視力検査を終了する。このステップ１２の視力検査終了後、或いは前記ステップ１で、視力検査モードにセットされていない場合には、ステップ１３で通常の視聴動作を行い、視力検査の制御を終了する。
【００４５】
以上に説明したように、本実施例におけるＣＲＴテレビ１１によれば、検査用標識の表示を、縮小サイズが表示限界に達した以降は、サイズの変化を止めて、検査標識と背景との色相を近づけていく変化を代わりにさせるようにした。よって、検査標識の縮小表示限界を超える水準の視力も確実に測定できるようになり、一般家庭での視力測定を手軽に行うことができる。
【００４６】
尚、本願発明は本実施例の構成に限定されるものではなく、以下に列記する構成について、適宜変更可能である。
【００４７】
１．実施例では、受像機としてＣＲＴテレビの例で説明しているが、これに限定されることはなく、液晶テレビ、ＰＤＰ、プロジェクションＴＶ等の各種受像機に適用可能である。
【００４８】
又、必ずしも受像機はテレビである必要はなく、家庭に備わる映像を表示可能なディスプレイであっても良い。例えばＰＣ用のディスプレイが挙げられる。
【００４９】
２．実施例では、検査用標識の表示を、縮小サイズが表示限界に達した以降は、サイズの変化を止めて、検査用標識と背景との色相を近づけていく変化を代わりに変化させるようにしたが、サイズの変化の変わりに見難くさせる変化は、この色相の変化に限定されることはなく、他の変化を代わりに行うようにしても良い。例えば、画面のコントラストを弱める変化や、検査応答可能な時間を短くする変化が挙げられる。
【００５０】
更に、これらの変化を単独で行うのみならず、２つ以上組み合わせて、同時、或いは順次に変化させるようにしても良い。勿論、変化させる順番も限定はされない。
【００５１】
３．実施例では、通常の視力検査を行う場合を例に説明したが、代わりに動体視力の視力検査を行う場合に適用しても良い。動体視力を測定する場合、例えば左から右といったように、画面の一方向に向かって所定速度で移動するように表示させる検査用標識において、同様の変化を順次加え、被験者に応答させる。
【００５２】
４．前記のような動体視力を測定する場合、縮小サイズが表示限界に達した以降に検査用標識にサイズの代わりに加える変化は、前述した検査用標識と背景との色相を近づけていく変化、画面のコントラストを弱める変化、及び検査応答可能な時間を短くする変化に加え、検査用標識の移動速度を速める変化を行うようにしても良い。勿論、これらの各変化は単独、或いは２つ以上組み合わせて行っても良い。
【００５３】
５．実施例では、検査用標識として数字を例に説明したが、これに限定されることはなく、文字、記号等の視力検査を行い得るあらゆる他の標識が適用可能である。例えば、ランドルト環が挙げられる。尚、ランドルト環を検査用標識として用いる場合には、検査応答は見える、見えないではなく、環の開口方向を答えることになるのは言うまでもない。
【００５４】
以上説明したように、上記実施例で実現される請求項１に記載の発明は、被験者の視力を検査する機能を有するテレビジョンにおいて、当該受像機はＣＲＴであって、視力を検査する機能を操作可能なリモコンと、被験者が前記リモコンの操作により行う検査応答に基づいて、画面に表示した検査用標識に所定の変化を加えるように制御する制御手段とを有し、前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させて、都度、検査応答を繰り返すことで被験者の視力を測定し、受像機での検査用標識の縮小表示限界を超える水準の視力測定を可能ならしめる構成としている。
【００５５】
上記のように構成した請求項１に記載の発明によれば、制御手段は、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させ、視力測定を行う。
【００５６】
上記実施例で実現される請求項２に記載の発明は、被験者の視力を検査する機能を有するテレビジョンにおいて、当該受像機はＣＲＴであって、視力を検査する機能を操作可能なリモコンと、被験者が前記リモコンの操作により行う検査応答に基づいて、画面の一方向に向かって所定速度で移動するように表示した検査用標識に所定の変化を加えるように制御する制御手段とを有し、前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて、都度、検査応答を繰り返すことで被験者の動体視力を測定し、受像機での検査用標識の縮小表示限界を超える水準の視力測定を可能ならしめる構成としている。
【００５７】
上記のように構成した請求項２に記載の発明によれば、制御手段は、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させ、動体視力の視力測定を行う。
【００５８】
上記実施例で実現される請求項４に記載の発明は、前記受像機はＣＲＴであって、被験者が前記リモコンの操作により行う検査応答に基づいて、画面に表示した検査用標識に所定の変化を加えるように制御する制御手段を有し、前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させて、都度、検査応答を繰り返すことで被験者の視力を測定し、受像機での検査用標識の縮小表示限界を超える水準の視力測定を可能ならしめる構成としてある。
【００５９】
上記のように構成した請求項４に記載の発明によれば、検査用標識の縮小サイズが受像機の表示限界まで達した以降、サイズの変化を止めると同時に、画面のコントラストを弱める変化と、前記検査用標識と背景との色相を近づけていく変化と、検査応答可能な時間を短くする変化の少なくとも何れか１つ以上を代わりに変化させて、サイズの変化を伴うことなく前記検査用標識を見難くなるように変化させて、都度、検査応答を繰り返すことで被験者の視力を測定し、受像機での検査用標識の縮小表示限界を超える水準の視力測定を行なう。
【００６０】
上記実施例で実現される請求項５に記載の発明は、前記受像機は、動体視力を測る際、検査用標識のサイズが一定の縮小サイズに達した以降は、サイズの縮小を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させる構成としてある。
【００６１】
上記のように構成した請求項５に記載の発明によれば、動体視力を測る際にも、検査用標識のサイズが一定の縮小サイズに達した以降は、サイズの縮小を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させる。
【００６２】
上記実施例で実現される請求項６に記載の発明は、前記受像機はＣＲＴであって、被験者が前記リモコンの操作により行う検査応答に基づいて、画面の一方向に向かって所定速度で移動するように表示した検査用標識に所定の変化を加えるように制御する制御手段を有し、前記制御手段は、被験者が読める検査応答を行った場合には、前記検査用標識のサイズを都度、小さくなるように変化させる一方、被験者が読めない検査応答を行った場合には、前記検査用標識のサイズを都度、大きくなるように変化させ、検査用標識の縮小サイズが受像機の表示限界まで達した以降に、被験者が読める検査応答を行った場合には、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて、都度、検査応答を繰り返すことで被験者の動体視力を測定し、受像機での検査用標識の縮小表示限界を超える水準の視力測定を可能ならしめる構成としてある。
【００６３】
上記のように構成した請求項６に記載の発明によれば、画面の一方向に向かって所定速度で移動するように表示した検査用標識に変化を加えるにあたり、検査用標識の縮小サイズが受像機の表示限界まで達した以降は、サイズの変化を止めると同時に、画面のコントラストを弱める変化と、前記検査用標識と背景との色相を近づけていく変化と、検査応答可能な時間を短くする変化と、前記検査用標識の移動する速度を速くする変化の少なくとも何れか１つ以上を代わりに変化させて、サイズの変化を伴うことなく前記検査用標識を見難くなるように変化させて受像機での検査用標識の縮小表示限界を超える水準の視力測定を行なう。
【００６４】
このほか、本発明は、被験者の視力を検査する機能を有する受像機において、
当該受像機は、
（１）受像機の視力検査モードにセットされているか否かを判定するステップと、
（２）前記ステップ（１）で、視力検査モードにセットされている場合に、視力検査機能をスタートさせるステップと、
（３）前記ステップ（２）のスタートに伴い、検査用標識としての数字を受像機の画面に表示し、被験者の検査応答が一定時間内に読める回答であったか否かを判別するステップと、
（４）前記ステップ（３）での判別の結果、検査応答が読めるであった場合には、数字のサイズが受像機の表示限界以上か否かを判別するステップと、
（５）前記ステップ（４）での判別の結果、数字のサイズが受像機の表示限界以上である場合には、サイズが小さくなるように変化させることで見難くされた数字を表示して、被験者の検査応答が一定時間内に読める回答であったか否かを判別するステップと、
（６）前記ステップ（４）での判別の結果、数字のサイズが受像機の表示限界である場合には、サイズは変化させず、画面のコントラストを弱める変化と、前記数字と背景との色相を近づけていく変化と、検査応答可能な時間を短くする変化の少なくとも何れか１つ以上を代わりに変化させて、より見難くされた数字を受像機の画面に表示して、被験者の検査応答が一定時間内に読める回答であったか否かを判別するステップと、
（７）前記ステップ（５）での判別の結果、検査応答が読めるであった場合には、より見難くされた数字を表示して、被験者の検査応答が一定時間内に読める回答であったか否かを判別する前記ステップ（５）を繰り返すステップと、
（８）前記ステップ（６）での判別の結果、検査応答が読めるであった場合には、より見難くされた数字を表示して、被験者の検査応答が一定時間内に読める回答であったか否かを判別する前記ステップ（６）を繰り返すステップと、
（９）前記ステップ（３）での判別の結果、検査応答が読めないか、或いは一定時間内に回答が無かった場合には、サイズが大きくなるように変化させることで見易くされた数字を表示して、被験者の検査応答が一定時間内に読める回答であったか否かを判別するステップと、
（１０）前記ステップ（９）での判別の結果、検査応答が読めないか、或いは一定時間内に回答が無かった場合には、サイズが大きくなるように変化させることで見易くされた数字を表示して、被験者の検査応答が一定時間内に読める回答であったか否かを判別する前記ステップ（９）を繰り返すステップと、
（１１）前記ステップ（５）、或いは前記ステップ（６）での判別の結果、検査応答が読めないか、或いは一定時間内に回答が無かった場合、或いは前記ステップ（９）での判別の結果、検査応答が読めるであった場合には、相応する検査結果を表示するステップと、
（１２）前記ステップ（１１）の検査結果表示後に視力検査を終了するステップと、
（１３）前記ステップ（１２）の視力検査終了後、或いは前記ステップ（１）で、視力検査モードにセットされていない場合には、通常の視聴動作を行うステップの、
各ステップを有するフローチャートに従い、受像機での検査用標識の縮小表示限界を超える水準の視力測定を可能ならしめることを特徴とする、受像機として理解することも可能である。
【産業上の利用可能性】
【００６５】
受像機本来の解像度に起因する検査用標識の縮小表示限界を超える水準の視力測定を可能にする受像機を提供する。
【図面の簡単な説明】
【００６６】
【図１】本発明の実施例１を説明するブロック図である。
【図２】本発明の実施例１を説明するフローチャートである。
【符号の説明】
【００６７】
１１…受像機としてのＣＲＴテレビ
１２ｃ…リモコン
１３ａ…制御手段としてのＣＰＵ
【図１】
2007097695.tif 000003
【図２】
2007097695.tif 000004